(57)【要約】【課題】高いＮＡの対物レンズであっても良好な面精度が確保でき、組み付ける際に組み立て上の障害が生じない対物レンズを有する光ピックアップ装置を得る。【解決手段】フランジ部に、光源に最も近い第１の面と、前記第１の面と段差を有して形成された第２の面と、光ディスクに対向する第３の面と、前記第２の面と前記第３の面の間に形成された凸部と、を有する対物レンズを、第１の面と接する面と、段差と嵌合する面と、第２の面に対向する面とを有するレンズ固定部に固定する光ピックアップ装置とする。【選択図】図５
2008287757.tif 000002
【特許請求の範囲】
【請求項１】
波長λの光束を射出する光源と、前記光束を光ディスクの情報記録面上に集光する対物レンズと、該対物レンズを固定するレンズ固定部と、前記光ディスクの情報記録面上で反射した光を受光する受光素子とを有し、前記光ディスクへの情報の記録及び前記光ディスクに記録された情報の再生のうち少なくともいずれか一方を行う光ピックアップ装置において、
前記対物レンズは、光学面と該光学面の周りのフランジ部とを有し、
前記フランジ部は、光源に最も近い第１の面と、前記第１の面と段差を有して形成された第２の面と、光ディスクに対向する第３の面と、前記第２の面と前記第３の面の間に形成された凸部と、を有し、
前記レンズ固定部は、前記第１の面と接する面と、前記段差と嵌合する面と、前記第２の面に対向する面とを有することを特徴とする光ピックアップ装置。
【請求項２】
前記レンズ固定部は、アクチュエータにより駆動されるボビンに形成されていることを特徴とする請求項１に記載の光ピックアップ装置。
【請求項３】
前記対物レンズと補助光学素子とを有する対物レンズユニットを有し、前記レンズ固定部は前記対物レンズと前記補助光学素子とを保持する枠体に形成され、前記対物レンズユニットはボビンに保持されていることを特徴とする請求項１に記載の光ピックアップ装置。
【請求項４】
前記対物レンズは金型により射出成形され、前記第２の面と前記第３の面の間の位置にパーティングラインを有し、前記凸部は、前記パーティングラインに生じるバリであることを特徴とする請求項１〜３のいずれか１項に記載の光ピックアップ装置。
【請求項５】
前記対物レンズは金型により射出成形され、前記第２の面と前記第３の面の間の位置にエアベントを有し、前記凸部は、前記エアベントに生じるバリであることを特徴とする請求項１〜３のいずれか１項に記載の光ピックアップ装置。
【請求項６】
前記光源から射出される光束の波長λは、
３８０ｎｍ＜λ＜４２０ｎｍ
であることを特徴とする請求項１〜５のいずれか１項に記載の光ピックアップ装置。
【請求項７】
前記対物レンズの光ディスク側の光学面の開口数が０．８以上であることを特徴とする請求項６に記載の光ピックアップ装置。
【請求項８】
波長λの光束を射出する光源と、前記光束を光ディスクの情報記録面上に集光する対物レンズと、該対物レンズを固定するレンズ固定部と、前記光ディスクの情報記録面上で反射した光を受光する受光素子とを有し、前記光ディスクへの情報の記録及び前記光ディスクに記録された情報の再生のうち少なくともいずれか一方を行う光ピックアップ装置に用いられる対物レンズユニットにおいて、
前記対物レンズユニットは、対物レンズと、補助光学素子と、前記対物レンズと前記補助光学素子を保持する枠体とを有し、
前記対物レンズは、光学面と該光学面の周りのフランジ部とを有し、
前記光学面は、互いに対向する第１の光学面と第２の光学面とを有し、前記第１の光学面の方が、前記第２の光学面よりも曲率が大きく、
前記フランジ部は、前記第１の光学面側の第１の面と、前記第１の面と段差を有して形成された第２の面と、前記第２の光学面側の第３の面と、前記第２の面と前記第３の面の間に形成された凸部と、を有し、
前記枠体は、前記第１の面と接する面と、前記段差と嵌合する面と、前記第２の面に対向する面とを有することを特徴とする対物レンズユニット。
【請求項９】
前記対物レンズは金型により射出成形され、前記第２の面と前記第３の面の間の位置にパーティングラインを有し、前記凸部は、前記パーティングラインに生じるバリであることを特徴とする請求項８に記載の対物レンズユニット。
【請求項１０】
前記対物レンズは金型により射出成形され、前記第２の面と前記第３の面の間の位置にエアベントを有し、前記凸部は、前記エアベントに生じるバリであることを特徴とする請求項８に記載の対物レンズユニット。
【請求項１１】
前記光源から射出される光束の波長λは、
３８０ｎｍ＜λ＜４２０ｎｍ
であることを特徴とする請求項８〜１０のいずれか１項に記載の対物レンズユニット。
【請求項１２】
前記対物レンズの前記第２の光学面の開口数が０．８以上であることを特徴とする請求項８〜１１のいずれか１項に記載の対物レンズユニット。
【発明の詳細な説明】
【技術分野】
【０００１】
本発明は、小型で組み付けに好適な形状の対物レンズを有する光ピックアップ装置及び対物レンズユニットに関するものである。
【背景技術】
【０００２】
従来より、ＣＤ、ＤＶＤ等の光情報記録媒体への記録、又は再生用の光ピックアップ装置用の光学素子である対物レンズは、樹脂成形されたプラスチックレンズが使用されている。
【０００３】
プラスチックレンズはガラスモールドレンズに比べ、比重が小さくこのため軽量化が可能である。このため、対物レンズを駆動するアクチュエータへの負荷を軽減でき、且つ慣性モーメントが小さいため、その応答性を向上させることが容易である利点を有している。
【０００４】
このような樹脂成形による光ピックアップ装置用の対物レンズとして、光学機能面の外周にフランジ部を設け、基準面側のフランジ面を基準となる面と段差をつけた低い面の２つの面に形成し、入子と入子が挿入される周辺部の金型の嵌合する位置を、段差をつけた低い面又は外周に位置させたプラスチックレンズが知られている（例えば、特許文献１参照）。
【特許文献１】特開平９−１３１８０２号公報
【発明の開示】
【発明が解決しようとする課題】
【０００５】
近年、ＢＤなどの、青紫色レーザを使用する、より高密度な光情報記録媒体が市場に出てきている。このような光ディスクの高密度化に伴い、対物レンズのＮＡ（開口数）も高ＮＡ化が求められている。高密度光情報記録媒体用の光ピックアップ装置に用いられる高いＮＡを必要とする対物レンズは、光源側に面した光学機能面の曲率は非常に大きくなり、大きく突出した形状となる。
【０００６】
このような光学素子を成形する場合、樹脂を金型内に注入した際に型の全体に樹脂が行き渡りにくくなり、金型内に残留する空気が空気溜まりを形成し、転写性に悪影響を与えるという問題がある。このため、金型内の空気を抜く、所謂エアベントを金型の分割線（パーティングライン）に沿って設けることが行われている。
【０００７】
しかしながら、エアベントを設けると、この部分に大きなバリが生じ、対物レンズを組み付ける際の障害となる場合がある。
【０００８】
本発明は上記問題に鑑み、高いＮＡの対物レンズであっても良好な面精度が確保でき、組み付ける際に組み立て上の障害が生じない対物レンズを有する光ピックアップ装置及び対物レンズユニットを得ることを目的とする。
【課題を解決するための手段】
【０００９】
上記の目的は、下記に記載する発明により達成される。
【００１０】
１．波長λの光束を射出する光源と、前記光束を光ディスクの情報記録面上に集光する対物レンズと、該対物レンズを固定するレンズ固定部と、前記光ディスクの情報記録面上で反射した光を受光する受光素子とを有し、前記光ディスクへの情報の記録及び前記光ディスクに記録された情報の再生のうち少なくともいずれか一方を行う光ピックアップ装置において、前記対物レンズは、光学面と該光学面の周りのフランジ部とを有し、前記フランジ部は、光源に最も近い第１の面と、前記第１の面と段差を有して形成された第２の面と、光ディスクに対向する第３の面と、前記第２の面と前記第３の面の間に形成された凸部と、を有し、前記レンズ固定部は、前記第１の面と接する面と、前記段差と嵌合する面と、前記第２の面に対向する面とを有することを特徴とする光ピックアップ装置。
【００１１】
２．前記レンズ固定部は、アクチュエータにより駆動されるボビンに形成されていることを特徴とする１に記載の光ピックアップ装置。
【００１２】
３．前記対物レンズと補助光学素子とを有する対物レンズユニットを有し、前記レンズ固定部は前記対物レンズと前記補助光学素子とを保持する枠体に形成され、前記対物レンズユニットはボビンに保持されていることを特徴とする１に記載の光ピックアップ装置。
【００１３】
４．前記対物レンズは金型により射出成形され、前記第２の面と前記第３の面の間の位置にパーティングラインを有し、前記凸部は、前記パーティングラインに生じるバリであることを特徴とする１〜３のいずれかに記載の光ピックアップ装置。
【００１４】
５．前記対物レンズは金型により射出成形され、前記第２の面と前記第３の面の間の位置にエアベントを有し、前記凸部は、前記エアベントに生じるバリであることを特徴とする１〜３のいずれかに記載の光ピックアップ装置。
【００１５】
６．前記光源から射出される光束の波長λは、
３８０ｎｍ＜λ＜４２０ｎｍ
であることを特徴とする１〜５のいずれかに記載の光ピックアップ装置。
【００１６】
７．前記対物レンズの光ディスク側の光学面の開口数が０．８以上であることを特徴とする６に記載の光ピックアップ装置。
【００１７】
８．波長λの光束を射出する光源と、前記光束を光ディスクの情報記録面上に集光する対物レンズと、該対物レンズを固定するレンズ固定部と、前記光ディスクの情報記録面上で反射した光を受光する受光素子とを有し、前記光ディスクへの情報の記録及び前記光ディスクに記録された情報の再生のうち少なくともいずれか一方を行う光ピックアップ装置に用いられる対物レンズユニットにおいて、前記対物レンズユニットは、対物レンズと、補助光学素子と、前記対物レンズと前記補助光学素子を保持する枠体とを有し、前記対物レンズは、光学面と該光学面の周りのフランジ部とを有し、前記光学面は、互いに対向する第１の光学面と第２の光学面とを有し、前記第１の光学面の方が、前記第２の光学面よりも曲率が大きく、前記フランジ部は、前記第１の光学面側の第１の面と、前記第１の面と段差を有して形成された第２の面と、前記第２の光学面側の第３の面と、前記第２の面と前記第３の面の間に形成された凸部と、を有し、前記枠体は、前記第１の面と接する面と、前記段差と嵌合する面と、前記第２の面に対向する面とを有することを特徴とする対物レンズユニット。
【００１８】
９．前記対物レンズは金型により射出成形され、前記第２の面と前記第３の面の間の位置にパーティングラインを有し、前記凸部は、前記パーティングラインに生じるバリであることを特徴とする８に記載の対物レンズユニット。
【００１９】
１０．前記対物レンズは金型により射出成形され、前記第２の面と前記第３の面の間の位置にエアベントを有し、前記凸部は、前記エアベントに生じるバリであることを特徴とする８に記載の対物レンズユニット。
【００２０】
１１．前記光源から射出される光束の波長λは、
３８０ｎｍ＜λ＜４２０ｎｍ
であることを特徴とする８〜１０のいずれかに記載の対物レンズユニット。
【００２１】
１２．前記対物レンズの前記第２の光学面の開口数が０．８以上であることを特徴とする８〜１１のいずれかに記載の対物レンズユニット。
【発明の効果】
【００２２】
本発明によれば、高いＮＡの対物レンズであっても良好な面精度が確保でき、組み付ける際に組み立て上の障害が生じない対物レンズを有する光ピックアップ装置及び対物レンズユニットを得ることが可能となる。
【発明を実施するための最良の形態】
【００２３】
以下、実施の形態により本発明を詳しく説明するが、本発明はこれに限定されるものではない。
【００２４】
図１は、本実施の形態に係る光ピックアップ装置１００の一例を示す斜視図である。同図には、ワイヤーにより支持されたボビンに、対物レンズを組み付けた例が示されている。
【００２５】
同図に示すように、光ピックアップ装置１００は、光学系ユニット３０、反射部材４０、対物レンズ１が固定されたボビン２０で構成されている。なお、不図示であるが光ディスクは対物レンズ１の上方に位置している。
【００２６】
光学系ユニット３０は、対物レンズ１にレーザ光を出射するレーザ光源と光ディスクから戻ってきた光を受光する受光部と、これらの光路を構成する光学部材で構成されている。反射部材４０は、光学系ユニット３０から出射された光束を対物レンズ１に入射させると共に、該光束の光ディスクからの反射光を光学系ユニット３０に導くものである。
【００２７】
ボビン２０は支持部材２７から延びる４本の可撓性のワイヤー２６により支持され、ワイヤー２６をサスペンションとして光軸Ｏ方向（フォーカシング方向）及び光軸Ｏに直交する方向（トラッキング方向）の所定範囲の移動が可能となっている。また、コマ収差の補正のために光軸に対し傾けて（チルト）使用する場合もある。
【００２８】
また、不図示であるが、ボビン２０には、アクチュエータとして、フォーカス駆動用コイル、トラッキング駆動用コイル、マグネット、外ヨーク、内ヨークによる磁気回路が構成されている。これらフォーカス駆動用コイル、トラッキング駆動用コイルに給電することにより、ボビン２０を対物レンズ１の光軸方向（フォーカシング方向）、光軸直交方向（トラッキング方向）及びチルトする方向に揺動可能となっている。また、これらのコイルには、ワイヤー２６を介して電源が供給されるようになっている。
【００２９】
このように、対物レンズ１をフォーカシング方向、トラッキング方向等への揺動を容易としつつ、慣性モーメントを減少させて応答性を向上させるため、対物レンズ１はプラスチックにより形成されていることが好ましい。
【００３０】
更に、不図示であるが、光学系ユニット３０、反射部材４０、ボビン２０を一体的に光ディスクの半径方向に移動させる移動機構が設けられている。
【００３１】
図２は、本実施の形態に係る光ピックアップ装置１００の構成を概略的に示す図である。以下、光ディスクに記録された情報の再生を行う場合を例にとり説明する。
【００３２】
同図に示す光ピックアップ装置１００は、光学系ユニット３０内に所定の波長の光束を射出する半導体レーザ３１を有している。なお、射出する波長としては、例えば、使用する光ディスクがＣＤであれば７７０〜８００ｎｍ（例えば、７８５ｎｍ）、ＤＶＤであれば６４０〜６７０ｎｍ（例えば、６５５ｎｍ）、ＨＤ  ＤＶＤ或いはＢＤであれば３９０〜４２０ｎｍ（例えば、４０５ｎｍ）である。
【００３３】
半導体レーザ３１から射出された光束は、偏光ビームスプリッタ３２を通過し、コリメータレンズ３３で平行光束とされた後、１／４波長板３４で円偏光状態とされる。この平行光束は絞りＳによって絞られ、対物レンズ１により光ディスク６１の保護層である透明基板６１ａを介して情報記録面６１ｂに集光され、光スポットとされる。
【００３４】
情報記録面６１ｂで記録されたピットにより変調されて反射した光束は、再び対物レンズ１、絞りＳを通過する。次いで、１／４波長板３４により直線偏光状態とされ、コリメータレンズ３３を透過して、偏光ビームスプリッタ３２に入射し、ここで反射される。反射された光束は、シリンドリカルレンズ３５、３６により非点収差が与えられ、光検出器３７上へ入射し、その出力信号を用いて、光ディスク６１に記録された情報の読み取り信号を得る。
【００３５】
また、光検出器３７上でのスポットの形状変化、位置変化による光量変化を検出して、合焦（フォーカス）検出やトラック検出を行う。この検出に基づいて不図示のアクチュエータにより半導体レーザ３１からの光束を光ディスク６１の情報記録面６１ｂ上に結像するように対物レンズ１を光軸方向に移動させるとともに、半導体レーザ３１からの光束を所定のトラックに結像するように対物レンズ１を光軸に垂直な方向に移動させるようになっている。
【００３６】
なお、上記では一種の光ディスクに対応した光ピックアップ装置の例で説明したが、複数種のレーザ光源を備え、複数種の光ディスクに対応可能とした光ピックアップ装置であってもよい。また、その場合に複数種の光ディスクに対して共用できる対物レンズを用いることが光ピックアップ装置の小型化や低コスト化の上でも好ましい。
【００３７】
図３は、本実施の形態に係る光ピックアップ装置に用いられる対物レンズの一例を示す側面図である。
【００３８】
同図に示す対物レンズ１は、光源側に向いた曲率の大きい光学面１ａ（第１の光学面）と、光ディスク側に向いた曲率の小さい光学面１ｂ（第２の光学面）を有している。また、光学面１ａ、１ｂの周りにはフランジ部１ｆが形成されている。第１の面と第２の面は、第１の光学面側であり、第３の面は、第２の光学面側である、ともいえる。また、第１の面、第２の面及び第３の面は、全て対物レンズの光軸に対して略垂直に形成されていることが好ましい。従って、第１の面、第２の面及び第３の面は互いに略平行となる様に形成されていることが好ましいが、そのうちの一つの面が若干斜めになっていてもよい。また、光学面１ａ、１ｂの少なくとも一方に輪帯状の段差を有する回折面等の光路差付与構造が形成されたものであってもよい。
【００３９】
フランジ部１ｆは、光源側に最も近い第１の面１ｆ１と、第１の面と段差を有して形成された第２の面１ｆ２と、光ディスクに対向する第３の面１ｆ３を有して形成されている。更に、第２の面１ｆ２と、第３の面１ｆ３に挟まれた外周面には、光軸と直交する方向に凸部１５が形成されている。
【００４０】
同図に示す対物レンズ１は、光ピックアップ装置においては、光学面１ｂが光ディスク側に面し、光学面１ａが光源側に面するように配置されることが好ましい。また、光学面１ａの有効径は０．３ｍｍ以上７ｍｍ以下であることが好ましく、０．５ｍｍ以上４ｍｍ以下であればより好ましい。
【００４１】
図４は、図３に示す対物レンズ１を製造するための樹脂成形用金型の例を示す断面図である。なお、以下の図においては、説明の重複を避けるため、同機能部材には同符号を付与して説明する。
【００４２】
同図に示す樹脂成形用金型は、パーティングラインＰＬを境にして第１の金型部である金型部１１と第２の金型部である金型部１２及び金型部１６で構成されている。また、金型部１１が可動側、金型部１２及び金型部１６が固定側の金型に相当する。パーティングラインＰＬは、第２の面１ｆ２と、第３の面１ｆ３に挟まれた外周面上にある。
【００４３】
金型部１１には、対物レンズ１の光学面１ｂを形成するための形状１１ｂが形成されている。更に、対物レンズ１のフランジ部１ｆの位置には突き出し部１３が、例えば円周上の４箇所に、設けられている。この突き出し部１３は、金型部１１に対し相対的にフランジ部１ｆ側に移動可能とされている。この突き出し部１３と金型部１１は、直径のクリアランス０．００１〜０．０６ｍｍで嵌合しており、更に図示の如く、金型部１１内部では、突き出し部１３と金型部１１との間には大きな隙間が形成されている。
【００４４】
金型部１２及び金型部１６からなる固定側の金型は、対物レンズ１の大きい曲率を有する光学面１ａを形成するための形状１２ａ及びフランジ部１ｆの第１の面１ｆ１と第２の面１ｆ２を有する入れ子の金型部１２と、フランジ部１ｆの最外周を形成する金型部１６とが、別部材により形成されている。また、１ｇは樹脂注入部であるゲートであり、ここから溶融した樹脂材料が注入される。
【００４５】
また図示の如く、可動側の金型部１１のフランジ部１ｆの第２の面１ｆ２と、第３の面１ｆ３に挟まれた外周面の一部には、ゲート１ｇに対向して、金型内に残留する空気を排気する為の、例えば溝状の空隙部１４（以下、エアベントと称す）が光軸に直交する方向に形成されている。この空隙部であるエアベント１４のフランジ部と接する部位の光軸方向の寸法ｔは、０．００１ｍｍ〜０．１ｍｍに形成されている。なお、エアベントは、固定側の金型部１６に設けてもよい。このエアベント１４の光軸方向の寸法ｔは、０．０１ｍｍ〜０．１ｍｍであることが好ましい。さらに、０．０２ｍｍ〜０．１ｍｍに形成するとより好ましく、０．０２〜０．０７ｍｍが更に好ましく、０．０４ｍｍ〜０．０７ｍｍに形成すると更に好ましい。
【００４６】
また、エアベント１４の周方向の幅寸法が１．０〜２．５ｍｍ程度の場合、凸部１５の幅は１．０〜２．５ｍｍ程度に形成される。この凸部は、光ヘッド部への組み込み時に、光軸を中心とした対物レンズの回転方向の位置を判別する際に指標となり、即ち、回転角度基準として用いることができ、組み込みをより容易にする効果も有している。
【００４７】
即ち、図３に示す対物レンズ１に形成された凸部１５は、エアベント１４や、パーティングラインに沿って発生するバリである。
【００４８】
図５は、図３に示す対物レンズ１をボビン２０に形成されたレンズ固定部に組み付けたときの断面図を示している。
【００４９】
同図に示すように、ボビン２０にはフランジ部１ｆの第１の面１ｆ１と当接して光軸Ｏ方向の位置決めを行う（光軸と直交方向の）面２０ｆと、第２の面１ｆ２に対向する（光軸と直交方向の）面２０ｇが形成されている。また、第１の面１ｆ１と第２の面１ｆ２の間の段差部に径方向で嵌合する（光軸と同方向の）面２０ｈが形成されている。ボビンの段差の光軸方向の長さの方が、レンズのフランジ部の段差（第１の面と第２の面の間の段差）の光軸方向の長さよりも短くなっている。対物レンズ１とボビン２０は、フランジ部１ｆの第２の面１ｆ２と、第２の面１ｆ２に対向する面２０ｇとが、接着剤により接着固定される。なお、第２の面１ｆ２に垂直な面、この場合、第２の面１ｆ２と、第３の面１ｆ３で挟まれた外周面にも接着剤を塗布してもよい。
【００５０】
対物レンズ１は、フランジ部１ｆの第１の面１ｆ１とボビン２０の面２０ｆが当接することにより、光軸Ｏ方向の位置決めがなされ、フランジ部１ｆの段差部と、段差部に径方向で嵌合する面２０ｈにより、光軸Ｏに直交する方向の位置決めがなされる。また、ボビンに形成された面２０ｇは、第２の面１ｆ２より光源側に位置している。
【００５１】
このようにすることで、凸部１５は削除等の処理をせずとも、ボビン２０に問題なく組み付けることができる。
【００５２】
図６は、図３に示す対物レンズ１と補助光学素子２とを有する対物レンズユニット１０を示す断面図である。同図は対物レンズ１及び補助光学素子２を枠体１１に固定して対物レンズユニット１０としたときの断面を示している。
【００５３】
同図に示す枠体１１にはレンズ固定部として、対物レンズ１のフランジ部１ｆの第１の面１ｆ１と当接して光軸Ｏ方向の位置決めを行う面１１ｆと、第２の面１ｆ２に対向する面１１ｇが形成されている。また、第１の面１ｆ１と第２の面１ｆ２の間の段差部に径方向で嵌合する面２０ｈが形成されている。対物レンズ１と枠体１１は、フランジ部１ｆの第２の面１ｆ２と、第２の面１ｆ２に対向する面１１ｇとが、接着剤Ｂにより接着固定される。なお、第２の面１ｆ２と、第３の面１ｆ３で挟まれた外周面にも接着剤Ｂを塗布してもよい。なお、補助光学素子２は、例えば、鋸歯状の回折素子や階段状の位相差付与構造等の形成された光学素子である。
【００５４】
対物レンズ１は、フランジ部１ｆの第１の面１ｆ１と枠体１１の面１１ｆが当接することにより、光軸Ｏ方向の位置決めがなされ、フランジ部１ｆの段差部と、段差部に径方向で嵌合する面１１ｈにより、光軸Ｏに直交する方向の位置決めがなされる。また、枠体１１に形成された面１１ｇは、第２の面１ｆ２より光源側に位置している。
【００５５】
このようにすることで、凸部１５は削除等の処理をせずとも、ボビン２０に問題なく組み付けることができる。
【００５６】
このようにして形成された対物レンズユニット１０の枠体１１はボビン２０に接着固定される。
【００５７】
以上説明したように、フランジ部に、光源に最も近い第１の面と、第１の面と段差を有して形成された第２の面と、光ディスクに対向する第３の面と、第２の面と第３の面の間に形成された凸部と、を有する対物レンズを、第１の面と接する面と、段差と径方向で嵌合する面と、第２の面に対向する面とを有するレンズ固定部に固定することにより、凸部を削除しなくとも、問題なく組み付けることができるようになる。このため、対物レンズの成形に際し、エアベントやパーティングラインによりバリが生じても組み付けの障害とならず、このため、金型に充分なエアベントを形成できるようになる。このことは、特に、使用波長が３８０ｎｍ〜４２０ｎｍで開口数が０．８以上の高密度光ディスクのための対物レンズに対し、金型の転写性を良好なものとすることができる。即ち、高いＮＡの対物レンズであっても良好な面精度が確保でき、組み付ける際に組み立て上の障害が生じない対物レンズを有する光ピックアップ装置及び対物レンズユニットを得ることが可能となる。
【図面の簡単な説明】
【００５８】
【図１】本実施の形態に係る光ピックアップ装置の一例を示す斜視図である。
【図２】本実施の形態に係る光ピックアップ装置の構成を概略的に示す図である。
【図３】本実施の形態に係る光ピックアップ装置に用いられる対物レンズの一例を示す側面図である。
【図４】図３に示す対物レンズを製造するための樹脂成形用金型の例を示す断面図である。
【図５】図３に示す対物レンズをボビンに組み付けたときの断面図を示している。
【図６】図３に示す対物レンズと補助光学素子とを有する対物レンズユニットを示す断面図である。
【符号の説明】
【００５９】
１  対物レンズ
２  補助光学素子
１０  対物レンズユニット
１１  枠体
２０  ボビン
２６  ワイヤー
３０  光学系ユニット
４０  反射部材
６１  光ディスク
１００  光ピックアップ装置
Ｂ  接着剤
Ｏ  光軸
【図１】
2008287757.tif 000003
【図２】
2008287757.tif 000004
【図３】
2008287757.tif 000005
【図４】
2008287757.tif 000006
【図５】
2008287757.tif 000007
【図６】
2008287757.tif 000008